(57)【要約】  現状のＣＥＣ機能では、Ｏｎｅ  Ｔｏｕｃｈ  Ｐｌａｙ機能によって強制的に表示する画面を全面表示するか、２画面以上表示できる機能を用いてその一つにだけ表示するかの選択をするにはリモコン等を用いてテレビ側の設定を行う必要があり、多くの手間を要する。  Ｏｎｅ  Ｔｏｕｃｈ  Ｐｌａｙ機能の際にＳｏｕｒｃｅ機器側から送信するメッセージとは別に、「複数画面表示の一つにだけこのＳｏｕｒｃｅ機器から送信する映像を強制的に表示する」ことを意味するメッセージを設定し、このメッセージを受信したSink機器が複数画面表示機能を有していれば複数画面表示のうちの一つの表示画面にだけメッセージ送信元のＳｏｕｃｅ機器が接続する入力端子の映像を表示し、それ以外の表示画面には引き続きそれまで表示していた画面を表示し続ける。
2013088481.tif 000002
【特許請求の範囲】
【請求項１】
映像信号を送信する送信装置から映像信号を受信する受信装置であって、
前記送信装置から送信された第１の映像信号と当該映像信号とは異なる第２の映像信号を表示可能な表示部を有し、
前記表示部が前記第２の映像信号を表示しているときに、前記送信装置から複数の映像信号の表示を指示するメッセージ及び前記第１の映像信号の表示を指示するメッセージを受信すると、前記表示部は前記第１の映像信号及び前記第２の映像信号を表示し、
前記表示部が前記第２の映像信号を表示しているときに、前記第１の映像信号の表示を指示するメッセージを受信すると、前記表示部は前記第１の映像信号を単独で表示することを特徴とする受信装置。
【請求項２】
請求項１の受信装置であって、
前記受信装置に関する情報を記録する記録部を有し、
前記受信装置に関する情報は、当該受信装置が複数の映像信号を表示可能か否かを示す情報を含むことを特徴とする受信装置。
【請求項３】
映像信号を受信する受信装置へ映像信号を送信する送信装置であって、
映像信号を再生する再生部と、
前記再生部で再生した映像信号を送信する送信部と、を有し、
前記受信装置へ前記送信部から送信する映像信号を含む複数の映像信号の表示を指示する場合、複数の映像信号の表示を指示するメッセージ及び前記送信部から送信する映像信号の表示を指示するメッセージを前記受信部へ送信し、
前記受信装置へ前記送信部から送信する映像信号の単独の表示を指示する場合、前記送信部から送信する映像信号の表示を指示するメッセージを前記受信部へ送信することを特徴とする送信装置。
【請求項４】
請求項３の送信装置であって、
前記受信装置に関する情報を読み出す読み出し部を有し、
前記受信装置に関する情報は当該受信装置が複数の映像信号を表示可能か否かを示す情報を含むことを特徴とする送信装置。
【請求項５】
送信装置から送信された映像信号を受信装置で受信する送受信方法であって、
送信装置で映像信号を再生するステップと、
再生された映像信号を送信装置から受信装置へ送信するステップと、
送信された映像信号を受信装置で受信するステップと、
受信した映像信号を受信装置で表示するステップと、を有し、
前記受信装置が前記送信装置から受信した第１の映像信号とは異なる第２の映像信号を表示しているときに、前記送信装置から複数の映像信号の表示を指示する第１のメッセージ及び送信装置が送信する第１の映像信号の表示を指示する第２のメッセージが送信され、前記受信装置が当該第１のメッセージ及び第２のメッセージを受信すると、前記受信装置は第２の映像信号および前記送信装置から送信された第１の映像信号を含む複数の映像信号を表示し、
前記受信装置が前記第２の映像信号を表示しているときに、前記第２のメッセージを受信すると、前記受信装置は前記送信装置から送信された第１の映像信号を表示することを特徴とする送受信方法。
【請求項６】
請求項５の送受信方法であって、
前記送信装置が前記受信装置に記録された当該受信装置に関する情報を読み出すステップを有し、
前記受信装置に関する情報は、当該受信装置が複数の映像信号を表示可能か否かを示す情報を含むことを特徴とする送受信方法。
【請求項７】
映像信号を送信する送信装置から映像信号を受信する受信装置であって、
前記送信装置との間で情報を送受信するインターフェース部と、
前記送信装置から送信された映像信号を表示する表示部と、
ユーザからの指示が入力される入力部を有し、
前記入力部に前記送信装置に対する指示が入力されると、前記インターフェース部から当該送信装置に対する指示を前記送信装置へ送信することを特徴とする受信装置。
【請求項８】
請求項７の受信装置であって、
前記入力部に入力される前記送信装置に対する指示と前記インターフェース部から送信される当該送信装置に対する指示とが同一内容のビット信号であることを特徴とする受信装置。
【発明の詳細な説明】
【技術分野】
【０００１】
技術分野は、映像信号等の伝送に関する。
【背景技術】
【０００２】
例えば、特許文献１では、「ワンタッチプレイ操作の際にどのような入力切替を実行するかについてはこれまで十分に検討が成されていなかった」（特許文献１[０００７]参照）ことを課題とし、その解決手段として「放送波に含まれる第１の映像信号を受信する第１の受信手段と、接続相手機器から送信される第２の映像信号を受信する第２の受信手段と、一つの画面を少なくとも第１の画面領域及び第２の画面領域に分割する画面分割手段と、前記第１の画面領域に表示されている前記第１の映像信号の入力情報を記憶する記憶手段と、前記接続相手機器を操作するための第１の操作に応じて、前記第１の画面領域に表示されている前記第１の映像信号に代えて、前記第２の映像信号を表示するよう制御する多画面切り替え制御手段とを備え、前記多画面切り替え制御手段は、前記接続相手機器を操作するための第２の操作に応じて、前記第１の画面領域に表示されている前記第２の映像信号に代えて、前記記憶手段にて記憶された前記第１の映像信号を表示するとともに、前記第２の画面領域に前記第２の映像信号を表示するよう制御すること」（特許文献１［０００８］参照）が記載されている。
【先行技術文献】
【特許文献】
【０００３】
【特許文献１】特開２０１１−３５４５４号公報
【発明の概要】
【発明が解決しようとする課題】
【０００４】
しかしながら、Ｏｎｅ  Ｔｏｕｃｈ  Ｐｌａｙ機能におけるシンク側の映像表示に関する使い勝手については考慮がない。
【課題を解決するための手段】
【０００５】
上記の課題を解決するために、例えば特許請求の範囲に記載の構成を採用する。
本願は上記課題を解決する手段を複数含んでいるが、その一例を挙げるならば、映像信号を送信する送信装置から映像信号を受信する受信装置において、送信装置から送信された第１の映像信号と当該映像信号とは異なる第２の映像信号を表示可能な表示部を有し、
表示部が第２の映像信号を表示しているときに、送信装置から複数の映像信号の表示を指示するメッセージ及び第１の映像信号の表示を指示するメッセージを受信すると、表示部は第１の映像信号及び前記第２の映像信号を表示し、
表示部が第２の映像信号を表示しているときに、第１の映像信号の表示を指示するメッセージを受信すると、表示部は第１の映像信号を単独で表示することを特徴とする。
【発明の効果】
【０００６】
上記手段によれば、Ｏｎｅ  Ｔｏｕｃｈ  Ｐｌａｙ機能におけるシンク側の映像表示に関する使い勝手が向上する。
【図面の簡単な説明】
【０００７】
【図１】実施例１の構成の一例
【図２】テレビが持つ表示機能の例
【図３】Ｏｎｅ  Ｔｏｕｃｈ  Ｐｌａｙ機能の際のメッセージのやり取りの一例
【図４】実施例１における複数画面表示の一つに送信する映像を表示させる際のメッセージのやり取りの一例
【図５】実施例１における複数画面表示の一つに送信する映像を表示させる制御信号を送信した際のフローチャートの一例
【図６】従来のＤＶＤプレーヤーと複数画面表示の一つに送信する映像を表示させる制御信号を送信できるＤＶＤプレーヤーのリモコンの例
【図７】実施例２の構成の一例
【図８】複数画面表示の一つに送信する映像を表示させる制御信号を送信できるゲーム機のリモコンの例
【図９】２台のゲーム機からの映像を複数画面表示で表示させる際のメッセージのやり取りの一例
【図１０】ＨＤＭＩ入力端子からの映像をテレビが表示していない状態から２台のゲーム機からの映像を複数画面表示で表示させる際のメッセージのやり取りの一例
【図１１】複数画面表示の一つに送信する映像を表示させる機能を持つことを伝えるＥＤＩＤの記述例
【図１２】複数画面表示の一つに送信する映像を表示させる機能を持つことを伝えるＭｕｌｔｉ  Ｄｉｓｐｌａｙの記述例
【図１３】実施例４における複数画面表示の一つに送信する映像を表示させる制御信号を送信した際のフローチャートの一例
【図１４】テレビと映像処理装置が直接接続しない構成の一例
【図１５】実施例５における複数画面表示の一つに送信する映像を表示させるメッセージのやり取りの一例
【図１６】実施例５における複数画面表示の一つに送信する映像を表示させる制御信号を送信した際のフローチャートの一例
【図１７】テレビ先に表示していた映像を送信する映像処理装置が、他の機器からの＜Ａｃｔｉｖｅ Ｓｏｕｒｃｅ＞メッセージを受けて映像の送信を停止する機能を持つ場合のメッセージのやり取りの一例
【図１８】実施例６における複数画面表示の一つに送信する映像を表示させるメッセージのやり取りの一例
【図１９】実施例６における複数画面表示の一つに送信する映像を表示させる制御信号を送信した際のフローチャートの一例
【図２０】実施例７における複数画面表示の一つに送信する映像を表示させるメッセージのやり取りの一例
【図２１】実施例７における複数画面表示の一つに送信する映像を表示させる制御信号を送信した際のフローチャートの一例
【図２２】実施例８における複数画面表示の一つに送信する映像を表示させるメッセージのやり取りの一例
【図２３】実施例８における複数画面表示の一つに送信する映像を表示させる制御信号を送信した際のフローチャートの一例
【図２４】各実施例における伝送システムの一例
【図２５】複数画面表示の一つに送信する映像を表示させる命令を映像処理装置側のリモコンを用いて映像処理装置に伝える場合の処理経路の概略図
【図２６】複数画面表示の一つに送信する映像を表示させる命令を映像処理装置側のリモコンを用いて映像表示装置に伝える場合の処理経路の概略図
【発明を実施するための形態】
【０００８】
映像信号を送信するＳｏｕｒｃｅ機器（ＢＤレコーダ／プレーヤー、ＳＴＢ、ゲーム機、パソコンなど）と映像信号を表示するＳｉｎｋ機器（デジタルＴＶ、ディスプレイなど）とを接続するインターフェース規格として、ＨＤＭＩ（Ｈｉｇｈ Ｄｅｆｉｎｉｔｉｏｎ Ｍｕｌｔｉｍｅｄｉａ Ｉｎｔｅｒｆａｃｅの略、ＨＤＭＩ Ｌｉｃｅｎｓｉｎｇ、 ＬＬＣの登録商標）がある。ＨＤＭＩは、非圧縮（ベースバンド）のデジタル映像信号と音声信号を一本のＨＤＭＩケーブルで伝送するインターフェース仕様であり、多くの民生機器に搭載されている。
【０００９】
また、デジタルテレビなどの表示装置は、ピクチャ・イン・ピクチャなどの機能により、複数の映像を１つの画面に表示することが可能である。例えば、２本のＨＤＭＩケーブルを用いて、２チャンネルの映像データを伝送し、２つの映像を１つの画面に表示することができる。以下、２つの映像を１つの画面に表示することを、「２画面表示」とも言う。また、２つ以上の映像を１つの画面に表示することを、「複数画面表示」とも言う。また、１つの映像を１つの画面に表示することを、「全画面表示」とも言う。
【００１０】
ＨＤＭＩでは機器制御信号を伝送するＣＥＣ（Ｃｏｎｓｕｍｅｒ  Ｅｌｅｃｔｒｏｎｉｃｓ  Ｃｏｎｔｒｏｌ）ラインにおいてＯｎｅ  Ｔｏｕｃｈ  Ｐｌａｙ機能を設定している。このＯｎｅ  Ｔｏｕｃｈ  Ｐｌａｙ機能とは、例えばＨＤＭＩ接続先のＳｏｕｒｃｅ（ソース）機器側であるプレーヤーが再生を開始すると、Ｓｉｎｋ（シンク）側であるテレビの電源が入り、再生された映像が送られてきたＨＤＭＩ入力端子をアクティブにして、送信されてきた映像を表示する機能であり、シンク側の動作をソース側から指示するものである。
【００１１】
また、既にテレビ（シンク）の電源が入っており、他の入力端子の映像や放送波の映像を視聴中にこのＯｎｅ  Ｔｏｕｃｈ  Ｐｌａｙ機能によって再生を開始した場合、プレーヤー（ソース）が接続された入力端子の映像に強制的に切り替える機能を搭載することも可能である。これにより、視聴者はテレビ（シンク）においてプレーヤー（ソース）に接続している端子をアクティブにし、プレーヤーから送信される映像データを表示するための切り替え操作等を省略できる。
【００１２】
そして、特許文献１では、最終的にはプレーヤーからの命令のみで再生を開始したプレーヤーの映像を全面表示させるか、従来表示していた画面と２画面表示させるか選択することは可能であるが、すぐに全面表示させたい場合にも一旦２画面表示を経由しなければならず、表示に時間がかかる。
【００１３】
以下、図面を用いて上記の課題を解決する実施例を説明する。なお、本稿で説明される映像処理装置、ＤＶＤプレーヤーおよびゲーム機はＨＤＭＩにおけるＳｏｕｒｃｅ（ソース）機器、映像表示装置およびテレビはＨＤＭＩにおけるＳｉｎｋ（シンク）機器である。
【００１４】
図２４は、各実施例における伝送システムの一例を示すブロック図であって、ソース機器１１がシンク機器１０とケーブル１０１を介して接続されており、シンク機器１０からソース機器１１へ電力を供給し、ソース機器からシンク機器へ映像信号を供給する。
【００１５】
ソース機器１１は例えばディスクプレイヤー、ディスクレコーダ、半導体レコーダ、放送受信機、ゲーム機、ＰＣ等の映像信号送出機器である。光ディスクや磁気記録ディスク、半導体メモリなどの記憶媒体や放送、ネットワーク等から得たデータから映像信号を再生する再生部１１０１と映像送信部１１０２、ＥＤＩＤ（Extended Display Identification Data、表示装置（シンク機器）に関する情報）読出部１１０３、ＣＥＣ（Consumer Electronics Control）通信部１１０４、電圧検出部１１０５、ＤＤＣ（Display Data Channel）＋５Ｖ供給部１１０６、ＨＰＤ（Hot Plug Detect）検出部１１０７、制御部１１０８、電源回路１１０９を有する。
【００１６】
シンク機器１０は、例えば液晶ディスプレイ、プラズマディプレイ、有機ＥＬディスプレイ等の表示デバイスを備えた映像信号受信機器である。シンク機器１０は表示部２１０１と映像受信部２１０２、ＥＤＩＤ記憶部２１０３、ＣＥＣ通信部２１０５、電流制限部２１５、ＨＰＤ出力部２１０６、制御部２１０７、電力供給部２１０８、電源回路２１０９を有する。なお、アンテナで受信した放送波を処理するチューナー、デスクランブラ、デマルチプレクサ、デコーダ、録画機能等も含む構成とし、シンク機器単体でも映像コンテンツを再生可能としてもよい。
【００１７】
ケーブル１０１は、ソース機器とシンク機器との間を接続するケーブルであって、例えばＨＤＭＩケーブルである。映像信号伝送線１０１２、ＥＤＩＤを伝送するＤＤＣ線１０１３、ＣＥＣ通信線１０１４、電力を供給するＵｔｉｌｉｔｙ線１０１５．ＤＤＣ＋５Ｖ線１０１６、ＨＰＤ線１０１７を有する。
【００１８】
ここで、図１における各ブロックの動作を説明する。ソース機器１１の再生部１１０１で再生された映像信号が映像送信部１１０２から送信され、ケーブル１０１の映像信号伝送線１０１２を介してシンク機器１０の映像受信部２１０２で受信される。受信された映像信号はシンク機器１０の表示部２１０１に表示される。
【００１９】
また、ソース機器１１のＥＤＩＤ読出部１１０３は、ケーブル１０１のＤＤＣ線１０１３を介してシンク機器１０のＥＤＩＤ記憶部２１０３に記録されているシンク機器のＥＤＩＤを読み出す。
【００２０】
また、ソース機器１１のＣＥＣ通信部１１０４とシンク機器１０のＣＥＣ通信部２１０５とはケーブル１０１のＣＥＣ通信線１０１４を介してＣＥＣメッセージの送受信を行う。
【００２１】
また、シンク機器１０の電力供給部２１０８はケーブル１０１のＵｔｉｌｉｔｙ線１０１５を介してソース機器の電源回路部１１０９に電力を供給する。電流制限部２１５は、電力供給部２１０８から供給される電力を監視し、必要に応じて供給される電力の制限を行う。電圧検出部１１０５は、電源回路１１０９が受給する電力の電圧を検出する。
【００２２】
また、ソース機器のＤＤＣ＋５Ｖ供給部１１０６は、５Ｖの電流をケーブル１０１のＤＤＣ＋５Ｖ線１０１６を介してＨＰＤ出力２１０６及び電源回路２１０９に供給する。
【００２３】
また、ソース機器のＨＰＤ検出部１１０７は、ケーブル１０１のＨＰＤ線１０１７を介してシンク機器のＨＰＤ出力２１０６からの電流を検出する。
【００２４】
また、ここではシンク機器１０の入力端子２０とソース機器１１の出力端子２３とがケーブル１０１で接続されている例が示されているが、シンク機器１０とソース機器１１のそれぞれにおいて端子の数は１つである必要は無く、複数の端子を備えるように構成してもよい。
【００２５】
以下、図２４の構成を前提に以下の実施例を説明する。
【実施例１】
【００２６】
本実施例では、テレビで放送波を視聴時に、ＨＤＭＩを介して接続するＤＶＤプレーヤーからの映像を２画面表示の片側で表示するときについて説明する。【００２７】
図１は本実施例の機器の構成の一例を示す。Ｓｉｎｋ機器であるテレビ１０は放送波受信端子１９を通じて放送波を受信し、また映像入力端子としてＨＤＭＩ入力端子２０、２１、２２を備える。このうちＨＤＭＩ入力端子２０がＤＶＤプレーヤー１１のＨＤＭＩ出力端子２３とHDMIケーブル１０１で接続している。テレビ１０では、例えばリモコン操作の「入力切替」キーにより、表示する画面を「テレビ(放送波)」「ＨＤＭＩ１」「ＨＤＭＩ２」「ＨＤＭＩ３」などから選択できる。
図２はテレビ１０が持つ表示機能の例について説明している。(a)は一つの映像を画面全体に表示する機能を示す。(b)は画面を２分割し、２つの映像、例えば放送波の映像とＨＤＭＩ入力端子１からの映像を表示する機能を示す。(c)はＰ ｉｎ Ｐ(Ｐｉｃｔｕｒｅ  ｉｎ  Ｐｉｃｔｕｒｅ)で、表示画面の一部に映像を表示することで２つの映像を１つの表示画面に表示する機能である。【００２８】
(b)や(c)の機能を持つ場合、それぞれ２つの表示位置にどの映像を表示するか前述のようにリモコン等から設定できるようにしてもよい。【００２９】
図３は従来のＯｎｅ  Ｔｏｕｃｈ  Ｐｌａｙ機能におけるメッセージのやり取りを示したものである。３１１と３１２、３１３はテレビの表示画面を示している。画面３１１と３１２は放送波の映像が表示されていること「Ｔ」で示す。画面３１３は、ＤＶＤプレーヤー１１の映像が表示されていることを「１１」で示す。メッセージのやり取りの開始前には放送波の映像が表示されている（画面３１１）。視聴者が再生スタート３０１の操作、例えば、ＤＶＤプレーヤー１１のリモコン等によりＤＶＤプレーヤー１１に映像の再生を命じる。するとＤＶＤプレーヤー１１はＨＤＭＩのＣＥＣラインを通じて＜Ｉｍａｇｅ  Ｖｉｅｗ  Ｏｎ＞メッセージ３０２をテレビ１０へ伝える。これを受けたテレビ１０は映像表示が可能な状態、例えばテレビの電源がＯＦＦの場合は電源をＯＮにするなど必要な動作を行う。引き続きＤＶＤプレーヤー１１はＨＤＭＩのＣＥＣラインを通じて＜Ａｃｔｉｖｅ  Ｓｏｕｒｃｅ＞メッセージ３０３を伝える。これを受けたテレビはＤＶＤプレーヤー１１が接続するＨＤＭＩ入力端子をアクティブにし、この入力端子からの映像を画面に表示する（画面３１３）。【００３０】
ここで本実施例の場合のようにテレビ１０が複数画面表示可能な場合、テレビが＜Ａｃｔｉｖｅ  Ｓｏｕｒｃｅ＞メッセージからだけではＤＶＤプレーヤー１１がテレビ１０に対して全画面表示を求めることしかできず、複数画面表示の一つに表示を求めることができない。【００３１】
図４に上記課題を解決するためのメッセージのやり取りの一例を示す。画面３１４〜３１７は図３と同様に「Ｔ」は放送波の映像が表示されていることを、「１１」はＤＶＤプレーヤー１１の映像が表示されていることを示す。３０１のやり取りは図３の例と同様である。その後新たに設定する＜Ｓｕｂ  Ｄｉｓｐｌａｙ＞メッセージ３０４を送信する。これは「所定の時間内、例えば１秒以内に＜Ｉｍａｇｅ  Ｖｉｅｗ  Ｏｎ＞メッセージ及び＜Ａｃｔｉｖｅ Ｓｏｕｒｃｅ＞メッセージが送信された場合、複数画面表示に切り替えて、現在表示されている映像をその表示画面の一つで表示し続け、＜Ａｃｔｉｖｅ  Ｓｏｕｒｃｅ＞メッセージの送信元機器の送信する映像は別の表示画面で表示することを推奨する」ことを意味する。【００３２】
テレビ１０では＜Ｓｕｂ  Ｄｉｓｐｌａｙ＞メッセージ、＜Ｉｍａｇｅ  Ｖｉｅｗ  Ｏｎ＞メッセージ、＜Ａｃｔｉｖｅ  Ｓｏｕｒｃｅ＞メッセージという順番でメッセージが送られてきた場合は、複数画面表示のうちの一画面での表示を求められていることを判断でき、また＜Ｉｍａｇｅ  Ｖｉｅｗ  Ｏｎ＞メッセージ、＜Ａｃｔｉｖｅ  Ｓｏｕｒｃｅ＞メッセージという順番でメッセージが送られてきた場合は、ＤＶＤプレーヤー１１が送信する映像の全画面表示を求めているという判断ができる。その判断に基づいて、テレビ１０はそれに応じた処理が可能になる。【００３３】
なお、テレビが複数画面表示に対応していない場合や、複数画面表示に対応していてもこの機能に対応していない場合は＜Ｓｕｂ  Ｄｉｓｐｌａｙ＞メッセージは無視されて、＜Ｉｍａｇｅ  Ｖｉｅｗ  Ｏｎ＞メッセージ、＜Ａｃｔｉｖｅ  Ｓｏｕｒｃｅ＞メッセージ受信で行われる従来のＯｎｅ  Ｔｏｕｃｈ  Ｐｌａｙと同様の対応をすることになるので、複数画面表示に対応していない機器との互換性を維持できる。【００３４】
図５は図４のメッセージがやり取りされる際のフローチャートの一例である。開始時点でテレビ１０は放送波を介して受信した映像を既に表示しているものとする。視聴者はリモコン等でＤＶＤプレーヤー１１に対し映像の「複数画面表示上での再生」を指示する（Ｓ１０１）。【００３５】
「複数画面表示上での再生」スタートの指示を受けたＤＶＤプレーヤー１１はテレビ１０に対し＜Ｓｕｂ  Ｄｉｓｐｌａｙ＞メッセージを送信する（Ｓ１０２）。【００３６】
ここでテレビ１０が複数画面表示機能を持っていないか、＜Ｓｕｂ  Ｄｉｓｐｌａｙ＞メッセージを理解できない場合はステップＳ１１２へ、テレビ１０が複数画面表示機能を持っており、＜Ｓｕｂ  Ｄｉｓｐｌａｙ＞メッセージを理解できる場合はステップＳ１０４へ進む（Ｓ１０３）。【００３７】
テレビ１０が複数画面表示機能を持っていないか、＜Ｓｕｂ  Ｄｉｓｐｌａｙ＞メッセージを理解できない場合は、テレビ１０はＳ１０２の＜Ｓｕｂ  Ｄｉｓｐｌａｙ＞メッセージを受信したことは無視し、図５の右側のフローに従う。ＤＶＤプレーヤー１１がテレビ１０へ＜Ｉｍａｇｅ  Ｖｉｅｗ  Ｏｎ＞メッセージを送信（Ｓ１１２）すると、それを受信したテレビ１０は映像表示に必要な機能をスタンバイさせる（Ｓ１１３）。【００３８】
ＤＶＤプレーヤーが＜Ａｃｔｉｖｅ  Ｓｏｕｒｃｅ＞メッセージを送信（Ｓ１１４）すると、それを受信したテレビ１０は通常のＯｎｅ  Ｔｏｕｃｈ  Ｐｌａｙが指示されたことを認識する（Ｓ１１５）。テレビ１０はＤＶＤプレーヤー１１が接続されるＨＤＭＩ端子をアクティブ化し（Ｓ１１６）、テレビ１０はＤＶＤプレーヤー１１からの映像を全面表示する（Ｓ１１７）ことで、ＤＶＤプレーヤー１１が再生を開始した映像の全面表示が完了する（Ｓ１１８）。【００３９】
一方テレビ１０が複数画面表示機能を持っており、 ＜Ｓｕｂ  Ｄｉｓｐｌａｙ＞メッセージを理解できるならば、テレビ１０は＜Ｓｕｂ  Ｄｉｓｐｌａｙ＞メッセージを受信したことを記憶する（Ｓ１０４）。引き続きＤＶＤプレーヤー１１はテレビ１０に対して＜Ｉｍａｇｅ  Ｖｉｅｗ  Ｏｎ＞メッセージを送信する（Ｓ１０５）。これを受けたテレビ１０は電源がＯＦＦであればＯＮに、映像表示モードになっていなければ映像表示モードに切り替えるなど必要な機能を立ち上げる(Ｓ１０６)。Ｓ１０５、Ｓ１０６はそれぞれＳ１１２、Ｓ１１３と同様の動作である。【００４０】
ＤＶＤプレーヤー１１はテレビ１０に対して＜Ａｃｔｉｖｅ  Ｓｏｕｒｃｅ＞メッセージを送信する（Ｓ１０７）。これを受けたテレビ１０は、＜Ｓｕｂ  Ｄｉｓｐｌａｙ＞メッセージ、＜Ｉｍａｇｅ  Ｖｉｅｗ  Ｏｎ＞メッセージ、＜Ａｃｔｉｖｅ  Ｓｏｕｒｃｅ＞メッセージの順番で受信されたことで、「複数画面表示上での再生」を指示されていることを認識する（Ｓ１０８）。テレビ１０は＜Ａｃｔｉｖｅ  Ｓｏｕｒｃｅ＞メッセージ送信元のＤＶＤプレーヤー１１が接続するＨＤＭＩ入力端子をアクティブ化する(Ｓ１０９)と同時に、複数画面表示に移行して現在表示中の映像はそのうちの一つの表示画面に表示し、新たに再生を開始したＤＶＤプレーヤー１１から送信される映像を別の一つの表示画面に表示する（Ｓ１１０）。これにより元から表示していた映像と、再生を開始したＤＶＤプレーヤー１１からの映像の２画面表示が実現する（Ｓ１１１）。【００４１】
ここまでは全画面表示を行っている状態のときに「複数画面表示上での再生」を指示した場合について説明したが、指示を出す時点で既に複数画面表示を行っている場合も想定される。この場合、例えば３画面以上表示する機能があり、まだ表示画面数を増やす余地があれば、これまでの説明と同様にその時点で表示している画面は残して、新たに再生する画面を追加して表示すればよい。表示画面を増やす余地が無い場合、より表示開始した順番の古い映像から表示を停止し、新たに再生する画面を表示する、などの方法が考えられるが、この表示方法の設定は適宜テレビ側で設定してもよい。【００４２】
また、テレビ１０が初期段階で何も表示を行っていないときは、従来のＯｎｅ  Ｔｏｕｃｈ  Ｐｌａｙと同様の対応をすればよい。すなわち、図５の「テレビが複数画面表示機能を持っていないとき」と同じ対応をすればよい。【００４３】
図６は通常のＤＶＤプレーヤーのリモコン１２と「複数画面表示上での再生」を指示する機能を持つＤＶＤプレーヤーのリモコン１３のボタン構成の一例である。通常のＤＶＤプレーヤーのリモコン１２は再生ボタン２５が一つ配置されている。これに対し「複数画面表示上での再生」を指示する機能を持つＤＶＤプレーヤーのリモコン１３では、通常の再生ボタン２５に加えて、「複数画面表示上での再生」ボタン２６を配置している。このボタンを押した場合、接続するテレビ１０が複数画面表示機能を備えていれば、その時点で表示している画面を複数画面表示のうちの一つの表示に残して、新たに再生する画面を追加して表示する。【００４４】
接続するテレビ１０が複数画面表示機能を備えていなければ、通常の再生ボタン２５と同様の働きをする。このようにテレビ側のリモコンを用いずにＤＶＤプレーヤーのリモコンのみ用いて、押下する再生ボタンを選択することにより、視聴者はＤＶＤプレーヤー１１から新たに再生を始める映像をテレビ１０の全画面表示で視聴するか、複数画面表示の一つの表示で視聴するかを選択することができる。【００４５】
なお、既に図５におけるＳ１１１の状態になり、放送波の映像とＤＶＤプレーヤー１１の映像の２画面再生が実現していた場合において、視聴者がリモコン１３で全面表示での再生を意図する再生ボタン２５を押下した場合、ＤＶＤプレーヤー１１はテレビ１０へ図３に示したような＜Ｉｍａｇｅ  Ｖｉｅｗ  Ｏｎ＞メッセージ及び＜Ａｃｔｉｖｅ  Ｓｏｕｒｃｅ＞メッセージを送信すれば、テレビ１０はＤＶＤプレーヤー１１の映像を全画面表示する。また、ＤＶＤプレーヤーが既に＜Ｉｍａｇｅ  Ｖｉｅｗ  Ｏｎ＞を送信するなど、テレビが映像表示状態出あることを知っている場合は、＜Ｉｍａｇｅ  Ｖｉｅｗ  Ｏｎ＞メッセージ３０２を省略して、＜Ａｃｔｉｖｅ  Ｓｏｕｒｃｅ＞メッセージ３０３を送るだけとしても、テレビ１０にＤＶＤプレーヤー１１の映像を全画面表示させることができる。【００４６】
これらの方法により、新たに再生を開始する映像をテレビに全画面再生するか、それまでに表示していた映像を引き続き複数画面表示の一つで表示し続けながら新たに再生を開始する映像もまた複数画面表示の一つで表示するか、を選択可能なＯｎｅ  Ｔｏｕｃｈ  Ｐｌａｙが可能となる。
【実施例２】
【００４７】
実施例１では新たに再生を開始しようとするＤＶＤプレーヤーとテレビの接続例について示したが、テレビに接続するｓｏｕｒｃｅ機器はもちろんそれに限らない。例えば図７に示すように２台のＨＤＭＩ接続可能なゲーム機１４、１５の映像をテレビに同時に表示する場合なども想定される。これは図１においてテレビ１０にＤＶＤプレーヤー１台を接続する構成から、ＤＶＤプレーヤー１台に代えてゲーム機２台を接続する構成としたものである。【００４８】
図８に「複数画面表示上での再生」を指示する機能を持つゲーム機のリモコン１６のボタン構成の一例を示す。「ワンタッチ」ボタン２７と「ワンタッチ:ハーフ」ボタン２８が配されている。「ワンタッチ」ボタン２７は接続するテレビに対し、このゲーム機から送信される映像を表示するよう命令するボタンである。「ワンタッチ:ハーフ」ボタン２８は接続するテレビに対し、複数画面表示機能があるならばそれまで表示していた画面を表示画面の一つに残しながらこのゲーム機の映像を別の表示画面で表示するよう命令するボタンである。【００４９】
図９にこの場合のメッセージのやり取りの一例を示す。画面３１８〜３２４は図３と同様に「Ｔ」は放送波の映像が表示されていることを、「１４」はゲーム機１４の映像が表示されていることを、「１５」はゲーム機１５の映像が表示されていることを示す。なお、図３および４と同様の動作については省略または簡略化して説明する。【００５０】
テレビ１０の画面には、メッセージのやり取りの開始前には放送波の映像が表示されている（３１８）。利用者はまずゲーム機１４用のリモコン１６で「ワンタッチ」ボタン２７を押す(４０１)。これによりゲーム機１４からテレビ１０に対して図３と同様のＯｎｅ  Ｔｏｕｃｈ  Ｐｌａｙ機能が実行され図３と同様に＜Ｉｍａｇｅ  Ｖｉｅｗ  Ｏｎ＞メッセージ３０２１と、＜Ａｃｔｉｖｅ Ｓｏｕｒｃｅ＞メッセージ３０３１が伝えられる。テレビ１０の画面はそれまでの放送派の映像表示３１９から、ゲーム機１４の映像表示３２０へ切り換る。【００５１】
次いで利用者はゲーム機１５用のリモコン１６で「ワンタッチ：ハーフ」ボタン２８を押す(４０２)。これによりゲーム機１５からテレビ１０に対して図４のメッセージ３０４、３０２、３０３と同様に＜Ｓｕｂ  Ｄｉｓｐｌａｙ＞メッセージ３０４２、＜Ｉｍａｇｅ  Ｖｉｅｗ  Ｏｎ＞メッセージ３０２２、＜Ａｃｔｉｖｅ  Ｓｏｕｒｃｅ＞メッセージ３０３２が送信され、これによりそれまでに表示していた映像を引き続き複数画面表示の一つで表示し続けながら新たに＜Ａｃｔｉｖｅ  Ｓｏｕｒｃｅ＞メッセージを送信する機器の映像もまた複数画面表示の一つで表示する機能が実行される（画面３２４）。【００５２】
尚、ゲーム機１５が、＜Ｉｍａｇｅ  Ｖｉｅｗ  Ｏｎ＞メッセージ３０２１を傍受するなどの手段で、テレビ１０が既に画面表示状態であることを認識している場合は、＜Ｉｍａｇｅ  Ｖｉｅｗ  Ｏｎ＞メッセージ３０２２は省略してもよい。省略により、メッセージ交換時間が短縮するので、ユーザ１７から見て操作レスポンスが向上し、快適な操作を提供できる特徴がある。【００５３】
これにより、テレビ側のリモコン操作等を行わずにゲーム機１４のリモコン１６のボタン２７とゲーム機１５のリモコン１６のボタン２８の操作のみで、テレビにゲーム機１４および１５の映像を同時表示させることができる。一般にテレビに表示する入力端子を選択するリモコン操作は複雑な作業になるため、利用者の手間を軽減できる。【００５４】
なお、本実施例ではリモコンを用いた操作について説明したが、他の方法（携帯端末を用いる方法やテレビ本体に付されたボタン等を用いる方法等）でテレビ側を制御しても本実施例と同様な効果が得られる。
【実施例３】
【００５５】
実施例２では先にゲーム機１４の映像が表示されている時に、ゲーム機１５からリモコン操作によりテレビ１０を複数画面表示に移行させ、先に表示中のゲーム機１４の映像を一つの表示画面で表示を続けながらゲーム機１５の映像を別の一つの表示画面で表示する例について説明したが、本実施例では例えば図７の構成において、テレビ１０が何も表示していない、または放送波の映像を表示しているなどテレビ１０のＨＤＭＩ入力端子全てがアクティブな状態ではなく、ゲーム機１４、１５ともに映像を送信していない状態から、ゲーム機１５のリモコンで「ワンタッチ：ハーフ」ボタン２８を押すことでゲーム機１４および１５からの映像をテレビ１０の複数画面表示で表示する例について説明する。【００５６】
図１０にこの場合のメッセージのやり取りの一例を示す。開始時点では図１０では放送波の映像を表示している（画面３２５）。また、あらかじめ、ゲーム機１５はゲーム機１４の存在をＣＥＣメッセージの交換などで検出しているものとする。【００５７】
利用者１７がゲーム機１５用のリモコン１６で「ワンタッチ：ハーフ」ボタン２８を押す(４０２)と、ゲーム機１５はゲーム機１４に対して＜Ｐｕｓｈ Ａｃｔｉｖｅ Ｓｏｕｒｃｅ>メッセージ３０８を送信する。これは、受信した映像処理装置に対して、テレビへのＯｎｅ  Ｔｏｕｃｈ  Ｐｌａｙの要求を指示するメッセージと定義する。このメッセージ３０８を受けたゲーム機１４はテレビ１０に＜Ｉｍａｇｅ  Ｖｉｅｗ  Ｏｎ＞メッセージ３０２３、次いで＜Ａｃｔｉｖｅ  Ｓｏｕｒｃｅ＞メッセージ３０３３を送信する。【００５８】
これによりテレビ１０には一旦ゲーム機１４からの映像が全面表示される（画面３２７）。また、＜Ａｃｔｉｖｅ  Ｓｏｕｒｃｅ＞メッセージ３０３３はブロードキャスト命令なので、ゲーム機１５にも受信され、ゲーム機１４が＜Ｐｕｓｈ Ａｃｔｉｖｅ Ｓｏｕｒｃｅ>メッセージ３０８に対して、指示したとおり動作していることをゲーム機１５が認識できる。【００５９】
この後、図９と同様に＜Ｓｕｂ  Ｄｉｓｐｌａｙ＞メッセージ３０４２、＜Ｉｍａｇｅ  Ｖｉｅｗ  Ｏｎ＞メッセージ３０２２、＜Ａｃｔｉｖｅ  Ｓｏｕｒｃｅ＞メッセージ３０３２が送信され、これにより既に表示していたゲーム機１４からの映像を引き続き複数画面表示の一つで表示し続けながら新たにゲーム機１５からの映像もまた複数画面表示の一つで表示する機能が実行される（画面３３０）。【００６０】
テレビ１０に接続する映像処理装置が３つ以上存在するときは、個別の状況に応じてどのような操作とするか設定すれば良い。例えば、３つ以上の映像処理装置がテレビに接続する場合はこの実施例の処理は行わない、指令を出す映像処理装置（図１０の例ではゲーム機１５）と同じ種類の映像処理装置と選択的に共に複数画面表示を行う（例えば図７の構成に加えてＨＤＭＩ入力端子２３にＢＤプレーヤーが接続していた場合、ゲーム機１４のみに対して＜Ｐｕｓｈ Ａｃｔｉｖｅ Ｓｏｕｒｃｅ>メッセージ３０８を送り、ＢＤプレーヤーには送らない、など）、物理アドレスや論理アドレスの番号の一番近い装置と選択的に共に複数画面表示を行う、などのように決めておくことで対応することもできる。また、＜Ｐｕｓｈ Ａｃｔｉｖｅ Ｓｏｕｒｃｅ>メッセージ３０８にパラメータを追加し、複数画面をどのように表示させるかを指定してもよい。【００６１】
これにより、映像処理装置からテレビ側のリモコン操作等を行わずにゲーム機１５のリモコン１６のボタン２８のワンタッチ操作のみで、テレビに接続する別の映像処理装置からの映像と共にゲーム機１５からの映像を複数画面表示することができる。
【実施例４】
【００６２】
実施例１の図５ではテレビ１０が複数画面表示に対応しているか、していないかで処理の方法が異なることを説明したが、前もってＳｏｕｒｃｅ機器側がテレビ１０に複数画面表示機能を備えているか否かを確認しても良い。これはＨＤＭＩのＳｏｕｒｃｅ機器の接続が確認された際にＳｉｎｋ側であるテレビ１０から送信されてくるＥＤＩＤ（Enhanced Extended Display Identification Data）に、新たにこの複数画面表示機能を備えているか否かを示す信号を設定することで確認できる。【００６３】
図１１にこの場合のＥＤＩＤの記述例を示す。Ｂｙｔｅ６・Ｂｉｔ２の位置に複数画面表示に対応できるか否かを示すＭｕｌｔｉ＿Ｄｉｓｐｌａｙという項目を設ける。図１２にＭｕｌｔｉ＿Ｄｉｓｐｌａｙの記載例を示す。ここでテレビ１０が複数画面表示に対応していれば１とする。なお、図１１は一例であり、他の位置にＭｕｌｔｉ＿Ｄｉｓｐｌａｙという項目を設けてもよい。【００６４】
また、ＥＤＩＤの読み込み以外の方法、例えばＣＥＣ通信を用いること等によってシンク側の機能をソース側に伝達してもよい。【００６５】
図１３に前もってテレビ１０に複数画面表示に対応していることを確認済みの場合のフローチャートの一例を示す。なお、図５と同様の動作については省略または簡略化して説明する。開始時点でテレビ１０は放送波の映像を既に表示しているものとする。テレビ１０が複数画面表示に対応している場合には図５と同じ動作である。【００６６】
ユーザがリモコンで「複数画面表示上再生スタート」を指示（Ｓ１０１）すると、テレビ１０が複数画面表示に対応していないことをＥＤＩＤ読出しで検知している場合、Ｓ１００へ進む（Ｓ１０３１）。ＤＶＤプレーヤー１１はテレビに対してテレビにＯＳＤ表示を指示する指令である＜Ｓｅｔ  ＯＳＤ  Ｓｔｒｉｎｇ＞[Ｄｉｓｐｌａｙ  Ｃｏｎｔｒｏｌ] [ＯＳＤ  Ｓｔｒｉｎｇ]メッセージを出すことにより、「テレビはワンタッチ：ハーフに対応していません」というＯＳＤをテレビに表示させる（Ｓ１００）。図５のＳ１０２で行った＜Ｓｕｂ  Ｄｉｓｐｌａｙ＞メッセージは送信せず、Ｓ１０３の判断も実行されない。図５と同様の従来のＯｎｅ  Ｔｏｕｃｈ  Ｐｌａｙの処理Ｓ１１２〜Ｓ１１７が実行される。最後にテレビ１０がＤＶＤプレーヤー１１の指示に基づいてＳ１００で出したＯＳＤを例えば５秒程度表示したのちに、テレビ１０がＯＳＤを消去することで動作を終了する(Ｓ１１９)。【００６７】
これにより、テレビ１０が複数画面表示に対応していない場合に、利用者が複数画面表示での再生を指示したにもかかわらず通常のＯｎｅ  Ｔｏｕｃｈ  Ｐｌａｙ機能、すなわち全画面表示が始まってしまうことに対してその理由を知ることができるため、利用者の混乱を避けることができる。
【実施例５】
【００６８】
実施例４ではＥＤＩＤによってテレビ１０の表示機能に関する能力を伝える例について説明したが、ＥＤＩＤによる伝達はテレビ１０と映像処理装置が直接接続するときに限られ、従って図１４に示すように、テレビ１０とＤＶＤプレーヤー１１の間にアンプ１８が入る構成の場合、テレビ１０からＤＶＤプレーヤー１１にＥＤＩＤを送ることができない。【００６９】
そこで、ＥＤＩＤでテレビの能力を伝達する方法によらない例を図１５のメッセージのやり取りの例で説明する。＜Ｓｕｂ  Ｄｉｓｐｌａｙ＞メッセージ３０４が送信されるまでは図４と同様である。この後、テレビ１０が複数画面表示に対応している場合にはＤＶＤプレーヤー１１に対して新たに定義する＜Ｒｅｐｏｒｔ  Ｓｕｂ  Ｄｉｓｐｌａｙ＞メッセージ３０７を返す。このメッセージが返ってくればＤＶＤプレーヤー１１はテレビが複数画面表示能力を備え、＜Ｓｕｂ  Ｄｉｓｐｌａｙ＞メッセージ３０４を理解して記憶したこと判定できる。【００７０】
図１６に本実施例のフローチャートの一例を示す。ＤＶＤプレーヤーが＜Ｓｕｂ  Ｄｉｓｐｌａｙ＞メッセージを送信（Ｓ１０２）後、テレビ１０が複数画面表示機能を持っていないか、＜Ｓｕｂ  Ｄｉｓｐｌａｙ＞メッセージを理解できない場合はステップＳ１１５へすすみ、以下Ｓ１１５〜Ｓ１１７、Ｓ１１９は図１３と同様である。テレビ１０が複数画面表示機能を持ち、＜Ｓｕｂ  Ｄｉｓｐｌａｙ＞メッセージを理解できる場合はステップＳ１０４２へすすみ、＜Ｓｕｂ  Ｄｉｓｐｌａｙ＞メッセージを受信したことを記憶した上で、ＤＶＤプレーヤー１１に対して＜Ｒｅｐｏｒｔ  Ｓｕｂ  Ｄｉｓｐｌａｙ＞メッセージを返す。以下Ｓ１０５〜Ｓ１１１は図１３と同様である。【００７１】
なお、本実施例は図１４のようにテレビ１０と映像処理装置が直接接続していない場合だけでなく、図１のようにテレビ１０と映像処理装置が直接接続している場合に実施してもよく、装置の構成により実施の可否が分かれるものではない。【００７２】
これにより、テレビと映像処理装置が直接接続しておらず、かつテレビ１０が複数画面表示に対応していない場合に、利用者が複数画面表示上再生を指示したにもかかわらず通常のＯｎｅ  Ｔｏｕｃｈ  Ｐｌａｙ、すなわち全画面表示が始まってしまうことに対してその理由を知ることができるため、利用者の混乱を避けることができる。
【実施例６】
【００７３】
実施例１では、従来のＯｎｅ  Ｔｏｕｃｈ  Ｐｌａｙ実行時のメッセージである＜Ｉｍａｇｅ  Ｖｉｅｗ  Ｏｎ＞メッセージ、＜Ａｃｔｉｖｅ Ｓｏｕｒｃｅ＞メッセージを送信する前に、この機能の実行を意味する新たなメッセージ＜Ｓｕｂ  Ｄｉｓｐｌａｙ＞メッセージを設定し、送信することとした。この場合、新たなメッセージである＜Ｓｕｂ  Ｄｉｓｐｌａｙ＞メッセージを理解しない機器が表示装置であった場合に、＜Ｓｕｂ  Ｄｉｓｐｌａｙ＞メッセージ、＜Ｉｍａｇｅ  Ｖｉｅｗ  Ｏｎ＞メッセージ、＜Ａｃｔｉｖｅ Ｓｏｕｒｃｅ＞メッセージというメッセージを、最初の＜Ｓｕｂ  Ｄｉｓｐｌａｙ＞メッセージを無視して＜Ｉｍａｇｅ  Ｖｉｅｗ  Ｏｎ＞メッセージ、＜Ａｃｔｉｖｅ Ｓｏｕｒｃｅ＞メッセージという従来のＯｎｅ  Ｔｏｕｃｈ  Ｐｌａｙとして認識させられるメリットがある。【００７４】
しかしながら、従来のＨＤＭＩの規定では＜Ａｃｔｉｖｅ  Ｓｏｕｒｃｅ＞メッセージがＨＤＭＩ上の一つの機器から出された場合に、それ以外の映像信号を出力中の接続機器は映像信号を出す必要が無くなったと判断し、映像出力を停止してスタンバイ状態に移行するという機能を備えていることが考えられる。【００７５】
このような判断がなされると、先に表示中の映像の出力機器が映像送信を終了してしまうため、本発明で意図するような「先に表示中の映像と、後から再生を開始した機器からの映像を複数画面表示で同時に表示する」ということができず、後から再生を開始した映像しか表示できなくなってしまうおそれがある。これを説明する例として、このような機能を持つ場合、図９のメッセージのやり取りがどのように変化するかを図１７に示す。【００７６】
利用者はまずゲーム機１４用のリモコン１６で「ワンタッチ」ボタン２７を押す(４０１)。これによりゲーム機１４からテレビ１０に対して＜Ｉｍａｇｅ  Ｖｉｅｗ  Ｏｎ＞メッセージ３０２１→＜Ａｃｔｉｖｅ Ｓｏｕｒｃｅ＞メッセージ３０３１が図９の場合と同様に送信される。このとき＜Ａｃｔｉｖｅ Ｓｏｕｒｃｅ＞メッセージはブロードキャストメッセージとして扱われるため、ネットワークに繋がるゲーム機１５にも伝えられる。なお３０３１で発信された＜Ａｃｔｉｖｅ Ｓｏｕｒｃｅ＞メッセージにはゲーム機１４の物理アドレスおよび論理アドレスが付与されていることから、テレビ１０やゲーム機１５はこの＜Ａｃｔｉｖｅ Ｓｏｕｒｃｅ＞メッセージがゲーム機１４から発信されたものであることを理解することができる。これで図９の場合と同様にテレビ１０の表示画面にはゲーム機１４の映像が表示される。【００７７】
次いで利用者はゲーム機１５用のリモコン１６で「ワンタッチ：ハーフ」ボタン２８を押す(４０２)。これによりゲーム機１５からテレビ１０に対して図４と同様のそれまでに表示していた映像を引き続き複数画面表示の一つで表示し続けながら新たに＜Ａｃｔｉｖｅ  Ｓｏｕｒｃｅ＞メッセージを送信する機器の映像もまた複数画面表示の一つで表示する機能が実行される(３０４２、３０２２、３０３２)。このとき、前述のように＜Ａｃｔｉｖｅ Ｓｏｕｒｃｅ＞メッセージ３０３２はブロードキャストメッセージとして扱われるため、ネットワークに繋がるゲーム機１４にも伝えられる。これによりゲーム機１４はゲーム機１５からの映像がＯｎｅ  Ｔｏｕｃｈ  Ｐｌａｙされたと認識し、ゲーム機１４は映像送信を止めてしまう。これにより、ゲーム機１４および１５の映像の同時表示を意図した利用者の意図に反して、テレビ１０には後から表示を開始したゲーム機１５の映像だけが表示される。【００７８】
これに対処するため、＜Ｉｍａｇｅ  Ｖｉｅｗ  Ｏｎ＞メッセージおよび＜Ａｃｔｉｖｅ Ｓｏｕｒｃｅ＞メッセージに代わる新たなメッセージを設定することも可能である。【００７９】
図１８にこの実施例のメッセージのやり取りの一例を示す。図１７における＜Ｓｕｂ  Ｄｉｓｐｌａｙ＞メッセージ３０４２送信、＜Ｉｍａｇｅ  Ｖｉｅｗ  Ｏｎ＞メッセージ３０２２送信、＜Ａｃｔｉｖｅ Ｓｏｕｒｃｅ＞メッセージ３０３２送信を、新たに設定する＜Ｍｕｌｔｉ  Ｉｍａｇｅ  Ｖｉｅｗ  Ｏｎ＞メッセージ３０６２の送信に置き換えた内容になっている。この＜Ｍｕｌｔｉ  Ｉｍａｇｅ  Ｖｉｅｗ  Ｏｎ＞メッセージには「複数画面表示に対応しているのであれば、『それまでに表示していた映像を引き続き複数画面表示の一つで表示し続けながら新たに再生を開始する映像もまた複数画面表示の一つで表示する』機能を実行せよ、複数画面表示に対応していないのであれば＜Ｉｍａｇｅ  Ｖｉｅｗ  Ｏｎ＞メッセージ、＜Ａｃｔｉｖｅ Ｓｏｕｒｃｅ＞メッセージと同じメッセージと解せよ」という意味を持つメッセージと定義する。【００８０】
これにより、ゲーム機１５は＜Ａｃｔｉｖｅ Ｓｏｕｒｃｅ＞メッセージを送信しないので、ゲーム機１４も他の装置からの＜Ａｃｔｉｖｅ Ｓｏｕｒｃｅ＞メッセージを受信することが無くなり、映像送信を続けることになる。【００８１】
図１９にこの実施例のフローチャートの一例を示す。なお、図５と同様の動作については省略または簡略化して説明する。【００８２】
開始時点でテレビはゲーム機１４の映像を既に表示しているものとする。まず、ゲーム機１５が＜Ｍｕｌｔｉ  Ｉｍａｇｅ  Ｖｉｅｗ  Ｏｎ＞メッセージを送信する（Ｓ１２０）。テレビ１０が＜Ｍｕｌｔｉ  Ｉｍａｇｅ  Ｖｉｅｗ  Ｏｎ＞メッセージの意味を理解し、かつ複数画面表示を備えている場合、図５におけるＳ１０２〜Ｓ１０７の工程をＳ１２０の＜Ｍｕｌｔｉ  Ｉｍａｇｅ  Ｖｉｅｗ  Ｏｎ＞メッセージの送信だけで代行しているとみなすことができる。以下Ｓ１２２〜Ｓ１２５については図５のＳ１０８〜Ｓ１１１と同様である。次に、テレビ１０が＜Ｍｕｌｔｉ  Ｉｍａｇｅ  Ｖｉｅｗ  Ｏｎ＞メッセージの意味を理解し、かつ複数画面表示を備えていない場合、Ｓ１１５で送信された＜Ｍｕｌｔｉ  Ｉｍａｇｅ  Ｖｉｅｗ  Ｏｎ＞メッセージをテレビ１０では従来のＯｎｅ  Ｔｏｕｃｈ  Ｐｌａｙと同じ指示をするメッセージと判断する(Ｓ１１５)。【００８３】
以下、Ｓ１２６、Ｓ１２７、Ｓ１１８は図５のＳ１１６〜Ｓ１１８と同様である。次に、テレビ１０が＜Ｍｕｌｔｉ  Ｉｍａｇｅ  Ｖｉｅｗ  Ｏｎ＞メッセージの意味を理解しない場合、Ｓ１１５で送信された＜Ｍｕｌｔｉ  Ｉｍａｇｅ  Ｖｉｅｗ  Ｏｎ＞メッセージをテレビ１０は何の意味も持たない信号と判断するため（Ｓ１２８）、何も反応せず信号を受ける前と同じ状態を続ける（Ｓ１２９）。【００８４】
このように＜Ｍｕｌｔｉ  Ｉｍａｇｅ  Ｖｉｅｗ  Ｏｎ＞メッセージを新たに設定することで、図１４の３０５２のように先に表示を行っていた映像の出力機器が、映像出力を止めてしまうことで利用者の意図する複数画面表示が行えなくなることを防止できる。
【実施例７】
【００８５】
実施例６と同様に＜Ａｃｔｉｖｅ Ｓｏｕｒｃｅ＞メッセージの受信によって図１７のように先に表示を行っていた映像の出力機器が、映像出力を止めてしまうことで利用者の意図する複数画面表示が行えなくなることを防止する方法を提供する。【００８６】
図２０にこの実施例のメッセージのやり取りの一例を示す。ゲーム機１５からテレビ１０に対して＜Ｓｕｂ  Ｄｉｓｐｌａｙ＞メッセージ３０４２を送信するまでは図１７と同様である。ここでテレビ１０は＜Ｓｕｂ  Ｄｉｓｐｌａｙ＞メッセージ３０４２を受信したことを受けて、テレビ１０とゲーム機１４が接続するネットワークとテレビ１０とゲーム機１５が接続するネットワークとを別個のネットワークとして分離する。これによりゲーム機１４とゲーム機１５とは同じネットワークにいないため、ゲーム機１５が発信するメッセージはゲーム機１４には届かなくなる。この後＜Ｉｍａｇｅ  Ｖｉｅｗ  Ｏｎ＞メッセージ３０２２送受信後にゲーム機１５が＜Ａｃｔｉｖｅ Ｓｏｕｒｃｅ＞メッセージ３０３２を送信した時に、このメッセージを受信するのはテレビ１０のみで、ゲーム機１４は受信しない、ゲーム機１４は映像出力を続けることができる（画面３６７）。【００８７】
図２１にこの実施例のフローチャートの一例を示す。開始時点でテレビはゲーム機１４の映像を既に表示しているものとする。視聴者はリモコン１６で「ワンタッチ：ハーフ」ボタン２８を押す等操作でゲーム機１５に対し映像の「複数画面表示上での再生」を指示する（Ｓ１０１）。「複数画面表示上での再生」スタートの指示を受けたゲーム機１５はテレビ１０に対し＜Ｓｕｂ  Ｄｉｓｐｌａｙ＞メッセージを送信する（Ｓ１３０）。ここでテレビ１０が複数画面表示機能を持っていて、かつ＜Ｓｕｂ  Ｄｉｓｐｌａｙ＞メッセージが理解できる場合、テレビ１０は＜Ｓｕｂ  Ｄｉｓｐｌａｙ＞メッセージを受信したことを記憶し、さらにゲーム機１４が接続するネットワークとゲーム機１５が接続するネットワークとを切断し、ゲーム機１４とゲーム機１５がメッセージのやり取りをすることができなきようにする（Ｓ１３１）。【００８８】
引き続きゲーム機１５はテレビ１０に対して＜Ｉｍａｇｅ  Ｖｉｅｗ  Ｏｎ＞メッセージを送信する（Ｓ１３２）。これを受けたテレビ１０は電源がＯＦＦであればＯＮに、映像表示モードになっていなければ映像表示モードに切り替えるなど必要な機能を立ち上げる(Ｓ１０６)。引き続きゲーム機１５はテレビ１０に対して＜Ａｃｔｉｖｅ  Ｓｏｕｒｃｅ＞メッセージを送信する（Ｓ１３３）。これを受けたテレビ１０は＜Ｓｕｂ  Ｄｉｓｐｌａｙ＞メッセージ→＜Ｉｍａｇｅ  Ｖｉｅｗ  Ｏｎ＞メッセージ→＜Ａｃｔｉｖｅ  Ｓｏｕｒｃｅ＞メッセージが連続して受信されたことで、「複数画面表示上での再生」を指示されていることを認識する（Ｓ１０８）。テレビ１０は＜Ａｃｔｉｖｅ  Ｓｏｕｒｃｅ＞メッセージ送信元のゲーム機１５が接続するＨＤＭＩ入力端子をアクティブ化する(Ｓ１３４)と同時に、複数画面表示に移行して先に表示中のゲーム機１４の映像はそのうちの一つの表示画面に表示し、新たに映像送信を開始したゲーム機１５からの映像を別の一つの表示画面に表示する（Ｓ１３５）。【００８９】
これにより先に表示していた映像と、新規に映像送信を開始した装置からの映像の２画面表示が実現する（Ｓ１１１）。映像を送信している装置のうちの一つの装置が映像送信を停止するなど、複数画面表示の必要がなくなった時点で、テレビはＳ１３１で分離したネットワークを復元しても良い。【００９０】
一方、テレビ１０が複数画面表示機能を持っていないか、あるいは＜Ｓｕｂ  Ｄｉｓｐｌａｙ＞メッセージが理解できない場合、テレビ１０は＜Ｓｕｂ  Ｄｉｓｐｌａｙ＞メッセージは無視して、続く＜Ｉｍａｇｅ  Ｖｉｅｗ  Ｏｎ＞メッセージ送受信（Ｓ１３６、Ｓ１１３）、＜Ａｃｔｉｖｅ  Ｓｏｕｒｃｅ＞メッセージ送受信（Ｓ１３７）すると、テレビ１０はゲーム機１５からＯｎｅ  Ｔｏｕｃｈ  Ｐｌａｙを指示されたと認識し（Ｓ１１５）、ゲーム機１５が接続するＨＤＭＩ端子をアクティブ化する（Ｓ１３８）。一方で、その後、ゲーム機１４もブロードキャストメッセージである＜Ａｃｔｉｖｅ  Ｓｏｕｒｃｅ＞メッセージを受信する（Ｓ１３９）。これを受けたゲーム機１４は映像出力を停止し、スタンバイ状態へ移行する(Ｓ１４０)。この場合テレビは複数画面表示ができないので、ゲーム機１４が出力を停止しても問題は無い。テレビ１０はゲーム機１５からの映像を全面表示する（Ｓ１４１）。【００９１】
このように本実施例によれば、テレビが複数画面表示に対応する場合は元から映像出力を行っていた装置の映像出力は継続され、テレビが複数画面表示に対応しない場合は元から映像出力を行っていた装置の映像出力は停止してスタンバイ状態に移行する。
【実施例８】
【００９２】
実施例６および７と同様に＜Ａｃｔｉｖｅ Ｓｏｕｒｃｅ＞メッセージの受信によって図１７のように先に表示を行っていた映像の出力機器が、映像出力を止めてしまうことで利用者の意図する複数画面表示が行えなくなることを防止する方法を提供する。【００９３】
図２２にこの実施例のメッセージのやり取りの一例を示す。利用者がゲーム機１５のリモコンで「ワンタッチ：ハーフ」を指示する（４０２）までは図１７と同様である。本実施例では、＜Ｓｕｂ  Ｄｉｓｐｌａｙ＞メッセージをブロードキャストメッセージと定義することで、この後ゲーム機１５から送信される＜Ｓｕｂ  Ｄｉｓｐｌａｙ＞メッセージ３０４２はテレビ１０だけでなくゲーム機１４でも受信する。これを受けたゲーム機１４は＜Ｓｕｂ  Ｄｉｓｐｌａｙ＞メッセージを受けたことを記憶する。その後ゲーム機１５からテレビ１０への＜Ｉｍａｇｅ  Ｖｉｅｗ  Ｏｎ＞メッセージ３０２２送信、＜Ａｃｔｉｖｅ  Ｓｏｕｒｃｅ＞メッセージ３０３２送信の後、ブロードキャストメッセージである＜Ａｃｔｉｖｅ  Ｓｏｕｒｃｅ＞メッセージ３０３２をテレビ１０とゲーム機１４が受信する。ゲーム機１５からの＜Ａｃｔｉｖｅ  Ｓｏｕｒｃｅ＞メッセージ３０３２を受けたゲーム機１４は、先に＜Ｓｕｂ  Ｄｉｓｐｌａｙ＞メッセージ３０４２を受けていることから、この＜Ａｃｔｉｖｅ  Ｓｏｕｒｃｅ＞メッセージ３０３２はゲーム機１５がゲーム機１４と同時に映像送信続行を指示しているものと判断して、映像送信を続ける。【００９４】
図２３にこの実施例のフローチャートの一例を示す。開始時点でテレビはゲーム機１４の映像を既に表示しているものとする。ゲーム機１５は＜Ｓｕｂ  Ｄｉｓｐｌａｙ＞メッセージを送信し、これはブロードキャストメッセージであるのでテレビ１０とゲーム機１４が受信する（Ｓ１４２）。ここでテレビ１０が複数画面表示機能を持っていないか、または＜Ｓｕｂ  Ｄｉｓｐｌａｙ＞メッセージが理解できない場合、以下Ｓ１３６からＳ１４１は図２１と同様であり、最終的にはゲーム機１５からの映像のみ表示する。【００９５】
テレビ１０が複数画面表示機能を持っていて、かつ＜Ｓｕｂ  Ｄｉｓｐｌａｙ＞メッセージが理解できる場合、テレビ１０とゲーム機１４は＜Ｓｕｂ  Ｄｉｓｐｌａｙ＞メッセージを受信したことを記憶する（Ｓ１４３）。以下、ゲーム機１５が＜Ｉｍａｇｅ  Ｖｉｅｗ  Ｏｎ＞メッセージ送信し（Ｓ１３２）、テレビが必要な機能をスタンバイ（Ｓ１０６）、ゲーム機１５が＜Ａｃｔｉｖｅ  Ｓｏｕｒｃｅ＞メッセージを送信しテレビ１０とゲーム機１４が受信する（Ｓ１４４）。テレビは複数画面表示上での再生を指示されたことを認識し（Ｓ１０８）、＜Ａｃｔｉｖｅ  Ｓｏｕｒｃｅ＞メッセージ送信元のゲーム機１５が接続するＨＤＭＩ端子をアクティブ化する（Ｓ１３４）。【００９６】
一方、ゲーム機１４は＜Ｓｕｂ  Ｄｉｓｐｌａｙ＞メッセージ、＜Ａｃｔｉｖｅ  Ｓｏｕｒｃｅ＞メッセージを受信したことを受けて、自身が送信中の映像を継続して送信することを指示されていると認識する（Ｓ１４５）。この結果ゲーム機１４からの映像とゲーム機１５からの映像の２画面表示がなされる（Ｓ１３５、Ｓ１１１）。【００９７】
このように本実施例では＜Ｓｕｂ  Ｄｉｓｐｌａｙ＞メッセージをブロードキャストメッセージとし、ゲーム機１４が＜Ｓｕｂ  Ｄｉｓｐｌａｙ＞メッセージ、＜Ａｃｔｉｖｅ  Ｓｏｕｒｃｅ＞メッセージを連続して受け取ることで「映像送信の継続を指示されている」と理解することで、テレビ１０が実施例７に説明したようなゲーム機１４が接続するネットワークとゲーム機１５が接続するネットワークを分離するという機能を備えていなくても、図１７のように先に表示を行っていた映像の出力機器が映像出力を止めてしまうことで、利用者の意図する複数画面表示が行えなくなることを防止できる。ただし、ゲーム機１４がこのような＜Ｓｕｂ  Ｄｉｓｐｌａｙ＞メッセージ→＜Ａｃｔｉｖｅ  Ｓｏｕｒｃｅ＞メッセージの意味することを理解して対応する機能が備わっておらず、かつ他の機器からの＜Ａｃｔｉｖｅ  Ｓｏｕｒｃｅ＞メッセージを受けて映像の送信を停止する機能が備わっている場合は、図１７と同様の結果となる。
【実施例９】
【００９８】
実施例1〜８はテレビ１０に接続する映像処理装置(ＤＶＤプレーヤー１１、ゲーム機１４、ゲーム機１５など)側のリモコンを用いて、映像処理装置の受光部に対して赤外信号を送り、映像処理装置内部で光電変換を行い、制御命令として解読するものである。【００９９】
図２５にこの場合の処理経路の概略図の一例を示す。視聴者は映像処理装置(ここではＤＶＤプレーヤー１１)のリモコン１３を用いてＤＶＤプレーヤー１１のリモコン受光部４３に赤外線のビット信号で命令を伝える。リモコン受光部４３は光電変換を行い、デジタル信号のビット信号に変換し、制御コマンド処理部４１に伝える。制御コマンド処理部４１はビット信号を解読して制御コマンド信号に変換し、ＨＤＭＩのＣＥＣラインでテレビ１０に送る。テレビ１０は制御コマンド信号を制御コマンド処理部３６に伝え、ここから制御コマンドに従った適切な処理内容が映像処理部３５に指示される。【０１００】
本実施例では、映像処理装置のリモコン受光部４３が視聴者の方向に向いていないなど、映像処理装置に対して直接リモコン信号を伝えられない場合に、テレビ１０のリモコン受光部３９からリモコン信号を映像処理装置に伝えるものである。図２６にこの場合の処理経路の概略図の一例を示す。視聴者は映像処理装置(ここではＤＶＤプレーヤー１１)のリモコン１３を用いてテレビ１０のリモコン受光部３９に赤外線のビット信号で命令を伝える。リモコン受光部３９は光電変換を行い、デジタル信号のビット信号に変換し、制御コマンド処理部３６に伝える。【０１０１】
制御コマンド処理部３６はこのビット信号がＤＶＤプレーヤー１１の制御信号であることを判定する。この判定は、ビット信号の内容から判定しても良いし、あらかじめ受信するリモコン信号がＤＶＤプレーヤー１１のものであることをテレビ１０側のリモコン等を用いて設定しておいても良い。制御コマンド処理部３６はこのビット信号をビット信号のままＨＤＭＩのＣＥＣラインでＤＶＤプレーヤー１１に送る。この時の伝送は、例えばメーカーが任意に設定できるＨＤＭＩ  Ｖｅｎｄｅｒ−Ｓｐｅｃｉｆｉｃ  Ｄａｔａ  Ｂｌｏｃｋの必要なビット数を使って伝送する。【０１０２】
ＤＶＤプレーヤー１１ではこのビット信号を制御コマンド処理部４１に伝える。制御コマンド処理部４１はビット信号を解読して制御コマンド信号に変換し、ＨＤＭＩのＣＥＣラインでテレビ１０に送る。テレビ１０は制御コマンド信号を制御コマンド処理部３６に伝え、ここから制御コマンドに従った適切な処理内容が映像処理部３５に指示される。
このように本実施例に拠れば、映像処理装置側のリモコンからの信号をテレビのリモコン受光部に伝えることで映像処理装置に前記信号を伝えることができる。【０１０３】
上記で説明した各実施例によれば、Ｓｏｕｃｅ側において「即座に表示画面全体に再生を開始するＳｏｕｒｃｅ機器から送信する映像を強制的に表示する」のか「複数画面表示の一つにだけ再生を開始するＳｏｕｒｃｅ機器から送信する映像を強制的に表示する」のかの選択が可能になり、視聴者がテレビ側の設定を変更する操作を行う手間を省くことができる。 
【符号の説明】
【０１０４】
１０：テレビ、１１：ＤＶＤプレーヤー、１２：従来のＤＶＤプレーヤーリモコン、１３：複数画面表示上再生ボタンを持つＤＶＤプレーヤーリモコン、１４：ゲーム機1、１５：ゲーム機２、１６：複数画面表示上表示ボタンを持つゲーム機リモコン、１７：映像視聴者、１８：アンプ、１９：放送波受信端子、２０〜２２、５２：ＨＤＭＩ入力端子、２３、２４、５１：ＨＤＭＩ出力端子、２５：再生ボタン、２６：複数画面表示再生ボタン、２７：ワンタッチ表示ボタン、２８複数画面表示ワンタッチ表示ボタン、３１：アンテナ端子、３２：チューナー部、３３：チューナーデコーダー部、３４：表示パネル、３５：テレビ側映像処理部、３６：テレビ側制御コマンド処理部、３７：テレビ側ＨＤＭＩ端子、３８：テレビ側リモコン信号変換部、３９：テレビ側リモコン受光部、４０：映像処理装置側ＨＤＭＩ端子、４１：映像処理装置側制御コマンド処理部、４２：映像処理装置側リモコン信号変換部、４３：映像処理装置側リモコン受光部、４４：映像処理装置側映像処理部、１０１〜１０４：ＨＤＭＩケーブル、２０１：全画面表示、２０２：２分割表示(左画面)、２０３：分割表示画面(右画面)、２０４：ＰｉｎＰ時メイン画面、２０５：ＰｉｎＰ画面
【図１】
2013088481.tif 000003
【図２】
2013088481.tif 000004
【図３】
2013088481.tif 000005
【図４】
2013088481.tif 000006
【図５】
2013088481.tif 000007
【図６】
2013088481.tif 000008
【図７】
2013088481.tif 000009
【図８】
2013088481.tif 000010
【図９】
2013088481.tif 000011
【図１０】
2013088481.tif 000012
【図１１】
2013088481.tif 000013
【図１２】
2013088481.tif 000014
【図１３】
2013088481.tif 000015
【図１４】
2013088481.tif 000016
【図１５】
2013088481.tif 000017
【図１６】
2013088481.tif 000018
【図１７】
2013088481.tif 000019
【図１８】
2013088481.tif 000020
【図１９】
2013088481.tif 000021
【図２０】
2013088481.tif 000022
【図２１】
2013088481.tif 000023
【図２２】
2013088481.tif 000024
【図２３】
2013088481.tif 000025
【図２４】
2013088481.tif 000026
【図２５】
2013088481.tif 000027
【図２６】
2013088481.tif 000028
【国際調査報告】
2013088481.tif 000029
2013088481.tif 000030
2013088481.tif 000031
2013088481.tif 000032
2013088481.tif 000033
2013088481.tif 000034